(57)【要約】【課題】  表示部材の軌道を所定方向に設定することができ、操作性を向上させることができる画像表示装置を提供すること。【解決手段】  画像を表示する表示面１１１を有するディスプレイ１１０と、ディスプレイ１１０を移動可能に支持する支持部材１２０とを備えるように画像表示装置１００を構成する。支持部材１２０は、壁面１０１に沿って配置された直部１２４と天井１０２に沿って配置された直部１２５と直部１２４、１２５を連結する曲部１２６とを有している。ディスプレイ１１０は、表示面１１１が直部１２４、１２５及び／又は曲部１２６に沿って移動するように設けられている。【選択図】  図１
2006072177.tif 000002
【特許請求の範囲】
【請求項１】
画像を表示する表示面を有する表示部材と、
前記表示部材を移動可能に支持する支持部材とを備え、
前記支持部材は、一の平面に沿って配置された一の直部と他の平面に沿って配置された他の直部と前記一の直部及び前記他の直部を連結する曲部とを有し、
前記表示部材は、前記表示面が前記直部及び／又は前記曲部に沿って移動するように設けられたことを特徴とする画像表示装置。
【請求項２】
画像を表示する表示面を有する表示部材と、
前記表示部材を移動可能に支持する支持部材とを備え、
前記表示部材は、前記表示面が一の平面に沿って画像を表示する第１の位置と前記表示面が他の平面に沿って画像を表示する第２の位置とに移動するように設けられたことを特徴とする画像表示装置。
【請求項３】
請求項１又は請求項２に記載の画像表示装置において、
前記支持された表示部材を一の方向及び他の方向に駆動する駆動手段を更に備えることを特徴とする画像表示装置。
【請求項４】
請求項３に記載の画像表示装置において、
前記支持された表示部材に近接する人体を検出する人体検出手段を更に備え、
前記駆動手段は、前記検出された人体に応じて前記支持された表示部材を駆動することを特徴とする画像表示装置。
【請求項５】
請求項３に記載の画像表示装置において、
前記支持された表示部材を移動させるための信号を検出する信号検出手段を更に備え、
前記駆動手段は、前記検出された信号に応じて前記支持された表示部材を駆動することを特徴とする画像表示装置。
【請求項６】
請求項１から請求項５の何れか一項に記載の画像表示装置において、
前記支持された表示部材の位置を検出する位置検出手段と、
前記検出された位置に基づいて前記表示面に表示する画像を変更する変更手段とを更に備えることを特徴とする画像表示装置。
【発明の詳細な説明】
【技術分野】
【０００１】
本願は、所定情報を提示するための画像を表示する画像表示装置の技術分野に属する。
【背景技術】
【０００２】
従来、この種の画像表示装置の一例として、複数のディスプレイを天井から吊り下げ、当該吊り下げられたディスプレイを４方向に移動するように構成された画像表示装置が知られている（例えば、特許文献１参照）。
【特許文献１】特開２００３−１３５４０４号公報（第３頁、第１図）
【発明の開示】
【発明が解決しようとする課題】
【０００３】
しかしながら、上述した従来の画像表示装置は、ディスプレイを４方向に移動するように構成され、ディスプレイの軌道を所定方向に設定することができないために、操作性を向上させることが困難であるという事情があった。
【０００４】
そこで、本願は、上述した事情を鑑みてなされたものであり、その課題の一例として、表示部材の軌道を所定方向に設定することができ、操作性を向上させることができる画像表示装置を提供することを目的とする。
【課題を解決するための手段】
【０００５】
上述した課題を解決するために、請求項１に記載の画像表示装置は、画像を表示する表示面を有する表示部材と、前記表示部材を移動可能に支持する支持部材とを備え、前記支持部材は、一の平面に沿って配置された一の直部と他の平面に沿って配置された他の直部と前記一の直部及び前記他の直部を連結する曲部とを有し、前記表示部材は、前記表示面が前記直部及び／又は前記曲部に沿って移動するように設けられたことを特徴とする構成を有している。
【０００６】
また、請求項２に記載の画像表示装置は、画像を表示する表示面を有する表示部材と、前記表示部材を移動可能に支持する支持部材とを備え、前記表示部材は、前記表示面が一の平面に沿って画像を表示する第１の位置と前記表示面が他の平面に沿って画像を表示する第２の位置とに移動するように設けられたことを特徴とする構成を有している。
【発明を実施するための最良の形態】
【０００７】
以下、本願を実施するための最良の形態について、図面を用いて説明する。
【０００８】
（第１実施形態）
まず、第１実施形態における画像表示装置の構成について、図１から図３を用いて説明する。なお、図１は、第１実施形態における画像表示装置を示す斜視図であり、図２（ａ）は、図１に示した画像表示装置の要部を示す側面図であり、図２（ｂ）は、図１に示した画像表示装置の要部を示す断面図であり、図３は、第１実施形態における画像表示装置を示すブロック図である。
【０００９】
画像表示装置１００は、図１及び図２に示すように、表示部材の一例としてのディスプレイ１１０と、ディスプレイ１１０を移動可能に支持する支持部材１２０とを備えている。
【００１０】
支持部材１２０は、互いに平行に配置された一対のレール１２１と、レール１２１に係合する係合具１２２と、係合具１２２に支持されたウォーム１２３とを有している。
【００１１】
レール１２１は、図示しない固定具を介して壁面１０１（一の平面）及び天井１０２（他の平面）に固定され、垂直方向及び水平方向に延在するようになっている。なお、壁面１０１及び天井１０２は、建物の一部に設けられ、所定の空間１０３を形成している。
【００１２】
また、レール１２１は、壁面１０１に沿って配置された一の直部１２４と、天井１０２に沿って配置された他の直部１２５と、直部１２４、１２５を連結する曲部１２６とを有し、ディスプレイ１１０の軌道を形成している。なお、曲部１２６は、ランダムな曲線形状でもよい。
【００１３】
また、レール１２１は、壁面１０１及び天井１０２に対向する外面と、断面半円状のラック１２７が設けられた内面と、レール１２１に沿って延在する案内溝１２８が形成された側面とを有している。
【００１４】
係合具１２２は、ディスプレイ１１０の背面に接合された基部１３１と、ウォーム１２３を回転可能に支持する側部１３２と、レール１２１の案内溝１２８に嵌入する端部１３３とを有し、断面Ｃ字状に形成されている。
【００１５】
なお、本実施形態では、係合具１２２は、各レール１２１に対して２個づつ、計４個設けられているが、これに限らず、各レール１２１に対して１個づつ、計２個設けられてもよい。また、レール１２１は、１本又は複数本によって構成されてもよい。
【００１６】
ウォーム１２３は、後述するモータ１４０に接続され、ラック１２７に歯合するようになっている。そして、ディスプレイ１１０は、ウォーム１２３が回転することによって移動するようになっている。
【００１７】
なお、本実施形態では、ウォーム１２３は、円柱状に形成されているが、これに限らず、紡錘状に形成されてもよい。これにより、レール１２１の曲部１２６においてラック１２７に確実に歯合することが可能になる。
【００１８】
ディスプレイ１１０は、所定情報を提示するための画像を表示する表示面１１１を有し、表示面１１１が直部１２４、１２５及び／又は曲部１２６に沿って移動するように設けられている。
【００１９】
なお、本実施形態では、ディスプレイ１１０は、液晶ディスプレイ、ＰＤＰ（Plasma Display Panel）、有機ＥＬ（Electroluminescence）ディスプレイ、ＣＲＴ（Cathode Ray Tube）ディスプレイなどの各種表示器によって構成することができる。
【００２０】
また、画像表示装置１００は、図３に示すように、駆動手段の一例としてのモータ１４０と、人体検出手段の一例としての人体センサ１５０と、信号検出手段の一例としての信号検出部１６０と、位置検出手段の一例としての位置センサ１７０と、変更手段の一例としての制御部１８０とを備えている。
【００２１】
制御部１８０は、所定情報を提示するための画像を生成し、当該生成された画像を示す画像信号をディスプレイ１１０に出力するようになっている。そして、ディスプレイ１１０は、入力された画像信号に応じて表示面１１１に画像を表示するようになっている。
【００２２】
モータ１４０は、スプロケット、チェーン、シャフトなどを含む図示しない伝達機構を介してウォーム１２３に接続され、ディスプレイ１１０を一の方向及び他の方向に駆動するようになっている。
【００２３】
なお、本実施形態では、モータ１４０は、伝達機構を介してウォーム１２３に接続されているが、これに限らず、ウォーム１２３に直接接続されてもよい。
【００２４】
人体センサ１５０は、赤外線センサなどの検出器によって構成され、ディスプレイ１１０に近接する人体を検出するようになっている。そして、制御部１８０は、検出された人体に応じてモータ１４０に駆動信号を出力し、モータ１４０は、入力された駆動信号に応じてディスプレイ１１０を駆動するようになっている。
【００２５】
具体的には、ディスプレイ１１０は、検出された人体、即ち、利用者に追従することにより、利用者が視認しやすい位置に移動するようになっている。
【００２６】
なお、本実施形態では、人体センサ１５０は、ディスプレイ１１０の前面に設けられてもよく、壁面１０１及び天井１０２に設けられてもよい。
【００２７】
信号検出部１６０は、赤外線センサなどの検出器によって構成され、ディスプレイ１１０を移動するための信号を検出するようになっている。そして、制御部１８０は、検出された信号に応じてモータ１４０に駆動信号を出力し、モータ１４０は、入力された駆動信号に応じてディスプレイ１１０を駆動するようになっている。
【００２８】
具体的には、ディスプレイ１１０は、遠隔操作用のリモートコントローラ１９０から出力された操作信号に応じて、利用者が視認しやすい位置に移動するようになっている。
【００２９】
なお、本実施形態では、信号検出部１６０は、ディスプレイ１１０の前面に設けられてもよく、壁面１０１及び天井１０２に設けられてもよい。
【００３０】
位置センサ１７０は、エンコーダなどの検出器によって構成され、モータ１４０の回転角を検出することによりディスプレイ１１０の位置を検出するようになっている。そして、制御部１８０は、検出された位置に基づいて画像を生成し、当該生成された画像を示す画像信号をディスプレイ１１０に出力するようになっている。
【００３１】
具体的には、ディスプレイ１１０は、入力された画像信号に応じて、明度、彩度、輝度などの画質又はソースが変更された画像を、適宜、表示面１１１に表示するようになっている。即ち、制御部１８０は、検出された位置に基づいて表示面１１１に表示する画像を変更するようになっている。
【００３２】
以上説明したように、本実施形態では、画像表示装置１００は、画像を表示する表示面１１１を有するディスプレイ１１０と、ディスプレイ１１０を移動可能に支持する支持部材１２０とを備え、支持部材１２０は、壁面１０１に沿って配置された直部１２４と天井１０２に沿って配置された直部１２５と直部１２４、１２５を連結する曲部１２６とを有し、ディスプレイ１１０は、表示面１１１が直部１２４、１２５及び／又は曲部１２６に沿って移動するように設けられたことを特徴とする構成を有している。
【００３３】
この構成により、本実施形態では、ディスプレイ１１０が直部１２４、１２５及び曲部１２６に沿って移動するので、ディスプレイ１１０の軌道を所定方向に設定することができ、操作性を向上させることができる。なお、直部１２４、１２５及び曲部１２６は、ディスプレイ１１０が周回的、段階的又は螺旋状に移動するように構成されてもよい。
【００３４】
また、本実施形態では、画像表示装置１００は、支持されたディスプレイ１１０を一の方向及び他の方向に駆動するモータ１４０を更に備えることを特徴とする構成を有している。
【００３５】
この構成により、本実施形態では、モータ１４０がディスプレイ１１０を駆動するので、ディスプレイ１１０を容易に移動することができる。
【００３６】
また、本実施形態では、画像表示装置１００は、支持されたディスプレイ１１０に近接する人体を検出する人体センサ１５０を更に備え、モータ１４０は、検出された人体に応じて支持されたディスプレイ１１０を駆動することを特徴とする構成を有している。
【００３７】
この構成により、本実施形態では、検出された人体に応じてディスプレイ１１０を駆動するので、検出された人体、即ち、利用者に追従することができ、利用者が視認しやすい位置にディスプレイ１１０を移動することができる。
【００３８】
また、本実施形態では、画像表示装置１００は、支持されたディスプレイ１１０を移動させるための信号を検出する信号検出部１６０を更に備え、モータ１４０は、検出された信号に応じて支持されたディスプレイ１１０を駆動することを特徴とする構成を有している。
【００３９】
この構成により、本実施形態では、遠隔操作用のリモートコントローラ１９０から出力された操作信号に応じてディスプレイ１１０を駆動するので、利用者が視認しやすい位置にディスプレイ１１０を移動することができる。
【００４０】
また、本実施形態では、画像表示装置１００は、支持されたディスプレイ１１０の位置を検出する位置センサ１７０と、検出された位置に基づいて表示面１１１に表示する画像を変更する制御部１８０とを更に備えることを特徴とする構成を有している。
【００４１】
この構成により、本実施形態では、ディスプレイ１１０の位置に基づいて画像を変更するので、明度、彩度、輝度などの画質又はソースが変更された画像を、適宜、表示面１１１に表示することができる。
【００４２】
なお、本実施形態では、ディスプレイ１１０は、モータ１４０によって駆動されるように構成されているが、これに限らず、利用者によって駆動されるように構成されてもよい。この場合に、利用者によって把持される把持具がディスプレイ１１０に設けられてもよい。
【００４３】
また、本実施形態では、ディスプレイ１１０は、表示面１１１に画像を表示するように構成されているが、これに限らず、表示面１１１にタッチパネル、デジタイザなどの入力器を搭載するように構成されてもよい。
【００４４】
また、本実施形態では、一つのディスプレイ１１０が移動可能に設けられているが、これに限らず、複数のディスプレイ１１０が移動可能に設けられてもよい。
【００４５】
また、本実施形態では、人体センサ１５０は、赤外線センサなどの検出器によって構成されているが、これに限らず、圧力センサなどの検出器によって構成されてもよい。この場合に、人体センサ１５０を椅子、床面などの部材に配置することにより、部材に接触する人体を検出することが可能になる。
【００４６】
（第２実施形態）
次に、第２実施形態における画像表示装置の構成について、図４から図６を用いて説明する。なお、図４は、第２実施形態における画像表示装置を示す斜視図であり、図５（ａ）は、図４に示した画像表示装置の要部を示す側面図であり、図５（ｂ）は、図４に示した画像表示装置の要部を示す断面図であり、図６は、第２実施形態における画像表示装置を示すブロック図である。
【００４７】
画像表示装置２００は、図４及び図５に示すように、表示部材の一例としてのディスプレイ２１０と、ディスプレイ２１０を移動可能に支持する支持部材２２０とを備えている。
【００４８】
支持部材２２０は、天井に対して平行に配置されたレール２２１と、レール２２１に係合する係合具２２２と、係合具２２２とディスプレイ２１０とを連結するアーム２２３とを有している。なお、レール２２１は、天井に対して平行に配置されなくてもよい。
【００４９】
レール２２１は、図示しない固定具を介して壁面２０１（一の平面）及び壁面２０２（他の平面）に固定され、水平方向に延在するようになっている。なお、壁面２０１、２０２は、建物の一部に設けられ、所定の空間２０３を形成している。
【００５０】
また、レール２２１は、壁面２０１に沿って配置された一の直部２２４と、壁面２０２に沿って配置された他の直部２２５と、直部２２４、２２５を連結する曲部２２６とを有し、ディスプレイ２１０の軌道を形成している。
【００５１】
また、レール２２１は、壁面２０１、２０２に平行する側面と、天井に対向する上面と、断面直線状のラック２２７が設けられた下面とを有している。
【００５２】
係合具２２２は、直方状に形成されたケース２２３と、ケース２２３に回転可能に支持されたピニオン２２８及び複数のローラ２２９とを有している。ローラ２２９は、レール２２１の側面及び上面に当接し、ディスプレイ２１０が移動するときに回転するようになっている。
【００５３】
なお、本実施形態では、係合具２２２は、レール２２１に対して１個設けられているが、これに限らず、レール２２１に対して２個設けられてもよい。
【００５４】
ピニオン２２８は、後述するモータ２４０に接続され、ラック２２７に歯合するようになっている。そして、ディスプレイ２１０は、ピニオン２２８が回転することによって移動するようになっている。
【００５５】
なお、本実施形態では、ピニオン２２８は、円柱状に形成されているが、これに限らず、かさ状に形成されてもよい。これにより、レール２２１の曲部２２６においてラック２２７に確実に歯合することが可能になる。
【００５６】
ディスプレイ２１０は、所定情報を提示するための画像を表示する表示面２１１を有し、表示面２１１が直部２２４、２２５及び／又は曲部２２６に沿って移動するように設けられている。
【００５７】
なお、本実施形態では、ディスプレイ２１０は、液晶ディスプレイ、ＰＤＰ（Plasma Display Panel）、有機ＥＬ（Electroluminescence）ディスプレイ、ＣＲＴ（Cathode Ray Tube）ディスプレイなどの各種表示器によって構成することができる。
【００５８】
また、画像表示装置２００は、図６に示すように、駆動手段の一例としてのモータ２４０と、人体検出手段の一例としての人体センサ２５０と、信号検出手段の一例としての信号検出部２６０と、位置検出手段の一例としての位置センサ２７０と、変更手段の一例としての制御部２８０とを備えている。
【００５９】
制御部２８０は、所定情報を提示するための画像を生成し、当該生成された画像を示す画像信号をディスプレイ２１０に出力するようになっている。そして、ディスプレイ２１０は、入力された画像信号に応じて表示面２１１に画像を表示するようになっている。
【００６０】
モータ２４０は、ピニオン２２８に直接接続され、ディスプレイ２１０を一の方向及び他の方向に駆動するようになっている。
【００６１】
なお、本実施形態では、モータ２４０は、ピニオン２２８に直接接続されているが、これに限らず、スプロケット、チェーン、シャフトなどを含む図示しない伝達機構を介してピニオン２２８に接続されてもよい。
【００６２】
人体センサ２５０は、赤外線センサなどの検出器によって構成され、ディスプレイ２１０に近接する人体を検出するようになっている。そして、制御部２８０は、検出された人体に応じてモータ２４０に駆動信号を出力し、モータ２４０は、入力された駆動信号に応じてディスプレイ２１０を駆動するようになっている。
【００６３】
具体的には、ディスプレイ２１０は、検出された人体、即ち、利用者に追従することにより、利用者が視認しやすい位置に移動するようになっている。
【００６４】
なお、本実施形態では、人体センサ２５０は、ディスプレイ２１０の前面に設けられてもよく、壁面２０１、２０２に設けられてもよい。
【００６５】
信号検出部２６０は、赤外線センサなどの検出器によって構成され、ディスプレイ２１０を移動するための信号を検出するようになっている。そして、制御部２８０は、検出された信号に応じてモータ２４０に駆動信号を出力し、モータ２４０は、入力された駆動信号に応じてディスプレイ２１０を駆動するようになっている。
【００６６】
具体的には、ディスプレイ２１０は、遠隔操作用のリモートコントローラ２９０から出力された操作信号に応じて、利用者が視認しやすい位置に移動するようになっている。
【００６７】
なお、本実施形態では、信号検出部２６０は、ディスプレイ２１０の前面に設けられてもよく、壁面２０１、２０２に設けられてもよい。
【００６８】
位置センサ２７０は、エンコーダなどの検出器によって構成され、モータ２４０の回転角を検出することによりディスプレイ２１０の位置を検出するようになっている。そして、制御部２８０は、検出された位置に基づいて画像を生成し、当該生成された画像を示す画像信号をディスプレイ２１０に出力するようになっている。
【００６９】
具体的には、ディスプレイ２１０は、入力された画像信号に応じて、明度、彩度、輝度などの画質又はソースが変更された画像を、適宜、表示面２１１に表示するようになっている。即ち、制御部２８０は、検出された位置に基づいて表示面２１１に表示する画像を変更するようになっている。
【００７０】
以上説明したように、本実施形態では、画像表示装置２００は、画像を表示する表示面２１１を有するディスプレイ２１０と、ディスプレイ２１０を移動可能に支持する支持部材２２０とを備え、支持部材２２０は、壁面２０１に沿って配置された直部２２４と壁面２０２に沿って配置された直部２２５と直部２２４、２２５を連結する曲部２２６とを有し、ディスプレイ２１０は、表示面２１１が直部２２４、２２５及び／又は曲部２２６に沿って移動するように設けられたことを特徴とする構成を有している。
【００７１】
この構成により、本実施形態では、ディスプレイ２１０が直部２２４、２２５及び曲部２２６に沿って移動するので、ディスプレイ２１０の軌道を所定方向に設定することができ、操作性を向上させることができる。
【００７２】
また、本実施形態では、画像表示装置２００は、支持されたディスプレイ２１０を一の方向及び他の方向に駆動するモータ２４０を更に備えることを特徴とする構成を有している。
【００７３】
この構成により、本実施形態では、モータ２４０がディスプレイ２１０を駆動するので、ディスプレイ２１０を容易に移動することができる。
【００７４】
また、本実施形態では、画像表示装置２００は、支持されたディスプレイ２１０に近接する人体を検出する人体センサ２５０を更に備え、モータ２４０は、検出された人体に応じて支持されたディスプレイ２１０を駆動することを特徴とする構成を有している。
【００７５】
この構成により、本実施形態では、検出された人体に応じてディスプレイ２１０を駆動するので、検出された人体、即ち、利用者に追従することができ、利用者が視認しやすい位置にディスプレイ２１０を移動することができる。
【００７６】
また、本実施形態では、画像表示装置２００は、支持されたディスプレイ２１０を移動させるための信号を検出する信号検出部２６０を更に備え、モータ２４０は、検出された信号に応じて支持されたディスプレイ２１０を駆動することを特徴とする構成を有している。
【００７７】
この構成により、本実施形態では、遠隔操作用のリモートコントローラ２９０から出力された操作信号に応じてディスプレイ２１０を駆動するので、利用者が視認しやすい位置にディスプレイ２１０を移動することができる。
【００７８】
また、本実施形態では、画像表示装置２００は、支持されたディスプレイ２１０の位置を検出する位置センサ２７０と、検出された位置に基づいて表示面２１１に表示する画像を変更する制御部２８０とを更に備えることを特徴とする構成を有している。
【００７９】
この構成により、本実施形態では、ディスプレイ２１０の位置に基づいて画像を変更するので、明度、彩度、輝度などの画質又はソースが変更された画像を、適宜、表示面２１１に表示することができる。
【００８０】
なお、本実施形態では、ディスプレイ２１０は、モータ２４０によって駆動されるように構成されているが、これに限らず、利用者によって駆動されるように構成されてもよい。この場合に、利用者によって把持される把持具がディスプレイ２１０に設けられてもよい。
【００８１】
また、本実施形態では、ディスプレイ２１０は、表示面２１１に画像を表示するように構成されているが、これに限らず、表示面２１１にタッチパネル、デジタイザなどの入力器を搭載するように構成されてもよい。
【００８２】
また、本実施形態では、一つのディスプレイ２１０が移動可能に設けられているが、これに限らず、複数のディスプレイ２１０が移動可能に設けられてもよい。
【００８３】
また、本実施形態では、人体センサ２５０は、赤外線センサなどの検出器によって構成されているが、これに限らず、圧力センサなどの検出器によって構成されてもよい。この場合に、人体センサ２５０を椅子、床面などの部材に配置することにより、部材に接触する人体を検出することが可能になる。
【００８４】
（第３実施形態）
次に、第３実施形態における画像表示装置の構成について、図７及び図８を用いて説明する。なお、図７（ａ）は、第３実施形態における画像表示装置を示す側面図であり、図７（ｂ）は、第３実施形態における画像表示装置を示す正面図であり、図８は、第３実施形態における画像表示装置を示すブロック図である。
【００８５】
画像表示装置３００は、図７に示すように、表示部材の一例としてのディスプレイ３１０と、ディスプレイ３１０を移動可能に支持する支持部材３２０とを備えている。
【００８６】
支持部材３２０は、互いに平行に配置された一対のアーム３２１と、互いに平行に配置された一対のアーム３２２とを備え、アーム３２１、３２２の一端は、ディスプレイ３１０に接続されるとともに、アーム３２１、３２２の他端は、後述するモータ３４０に接続されるようになっている。
【００８７】
ディスプレイ３１０は、所定情報を提示するための画像を表示する表示面３１１を有し、表示面３１１が床面３０１（一の平面）に沿って画像を表示する第１の位置と表示面３１１が壁面３０２（他の平面）に沿って画像を表示する第２の位置とに移動（回動）するように設けられている。なお、床面３０１及び壁面３０２は、建物の一部に設けられ、所定の空間３０３を形成している。
【００８８】
具体的には、ディスプレイ３１０は、第１の位置において机タイプの表示器に変体するとともに、第２の位置において壁掛けタイプの表示器に変体するようになっている。
【００８９】
なお、本実施形態では、ディスプレイ３１０は、液晶ディスプレイ、ＰＤＰ（Plasma Display Panel）、有機ＥＬ（Electroluminescence）ディスプレイ、ＣＲＴ（Cathode Ray Tube）ディスプレイなどの各種表示器によって構成することができる。
【００９０】
また、画像表示装置３００は、図８に示すように、駆動手段の一例としてのモータ３４０と、人体検出手段の一例としての人体センサ３５０と、信号検出手段の一例としての信号検出部３６０と、位置検出手段の一例としての位置センサ３７０と、変更手段の一例としての制御部３８０とを備えている。
【００９１】
制御部３８０は、所定情報を提示するための画像を生成し、当該生成された画像を示す画像信号をディスプレイ３１０に出力するようになっている。そして、ディスプレイ３１０は、入力された画像信号に応じて表示面３１１に画像を表示するようになっている。
【００９２】
モータ３４０は、アーム３２１、３２２に直接接続され、ディスプレイ３１０を一の方向及び他の方向に駆動（回動）するようになっている。即ち、ディスプレイ４１０は、鉛直方向に回動可能に設けられた机を形成している。
【００９３】
なお、本実施形態では、モータ３４０は、アーム３２１、３２２に直接接続されているが、これに限らず、スプロケット、チェーン、シャフトなどを含む図示しない伝達機構を介してアーム３２１、３２２に接続されてもよい。
【００９４】
人体センサ３５０は、赤外線センサなどの検出器によって構成され、ディスプレイ３１０に近接する人体を検出するようになっている。そして、制御部３８０は、検出された人体に応じてモータ３４０に駆動信号を出力し、モータ３４０は、入力された駆動信号に応じてディスプレイ３１０を駆動するようになっている。
【００９５】
具体的には、ディスプレイ３１０は、検出された人体、即ち、利用者に追従することにより、利用者が視認しやすい位置に移動するようになっている。
【００９６】
なお、本実施形態では、人体センサ３５０は、ディスプレイ３１０の前面に設けられてもよく、床面３０１及び壁面３０２に設けられてもよい。
【００９７】
信号検出部３６０は、赤外線センサなどの検出器によって構成され、ディスプレイ３１０を移動するための信号を検出するようになっている。そして、制御部３８０は、検出された信号に応じてモータ３４０に駆動信号を出力し、モータ３４０は、入力された駆動信号に応じてディスプレイ３１０を駆動するようになっている。
【００９８】
具体的には、ディスプレイ３１０は、遠隔操作用のリモートコントローラ３９０から出力された操作信号に応じて、利用者が視認しやすい位置に移動するようになっている。
【００９９】
なお、本実施形態では、信号検出部３６０は、ディスプレイ３１０の前面に設けられてもよく、床面３０１及び壁面３０２に設けられてもよい。
【０１００】
位置センサ３７０は、エンコーダなどの検出器によって構成され、モータ３４０の回転角を検出することによりディスプレイ３１０の位置を検出するようになっている。そして、制御部３８０は、検出された位置に基づいて画像を生成し、当該生成された画像を示す画像信号をディスプレイ３１０に出力するようになっている。
【０１０１】
具体的には、ディスプレイ３１０は、入力された画像信号に応じて、明度、彩度、輝度などの画質又はソースが変更された画像を、適宜、表示面３１１に表示するようになっている。即ち、制御部３８０は、検出された位置に基づいて表示面３１１に表示する画像を変更するようになっている。
【０１０２】
以上説明したように、本実施形態では、画像表示装置３００は、画像を表示する表示面３１１を有するディスプレイ３１０と、ディスプレイ３１０を移動可能に支持する支持部材３２０とを備え、ディスプレイ３１０は、表示面３１１が床面３０１に沿って画像を表示する第１の位置と表示面３１１が壁面３０２に沿って画像を表示する第２の位置とに移動するように設けられたことを特徴とする構成を有している。
【０１０３】
この構成により、本実施形態では、ディスプレイ３１０が第１の位置及び第２の位置に移動するので、ディスプレイ３１０の軌道を所定方向に設定することができ、操作性を向上させることができる。
【０１０４】
また、本実施形態では、画像表示装置３００は、支持されたディスプレイ３１０を一の方向及び他の方向に駆動するモータ３４０を更に備えることを特徴とする構成を有している。
【０１０５】
この構成により、本実施形態では、モータ３４０がディスプレイ３１０を駆動するので、ディスプレイ３１０を容易に移動することができる。
【０１０６】
また、本実施形態では、画像表示装置３００は、支持されたディスプレイ３１０に近接する人体を検出する人体センサ３５０を更に備え、モータ３４０は、検出された人体に応じて支持されたディスプレイ３１０を駆動することを特徴とする構成を有している。
【０１０７】
この構成により、本実施形態では、検出された人体に応じてディスプレイ３１０を駆動するので、検出された人体、即ち、利用者に追従することができ、利用者が視認しやすい位置にディスプレイ３１０を移動することができる。
【０１０８】
また、本実施形態では、画像表示装置３００は、支持されたディスプレイ３１０を移動させるための信号を検出する信号検出部３６０を更に備え、モータ３４０は、検出された信号に応じて支持されたディスプレイ３１０を駆動することを特徴とする構成を有している。
【０１０９】
この構成により、本実施形態では、遠隔操作用のリモートコントローラ３９０から出力された操作信号に応じてディスプレイ３１０を駆動するので、利用者が視認しやすい位置にディスプレイ３１０を移動することができる。
【０１１０】
また、本実施形態では、画像表示装置３００は、支持されたディスプレイ３１０の位置を検出する位置センサ３７０と、検出された位置に基づいて表示面３１１に表示する画像を変更する制御部３８０とを更に備えることを特徴とする構成を有している。
【０１１１】
この構成により、本実施形態では、ディスプレイ３１０の位置に基づいて画像を変更するので、明度、彩度、輝度などの画質又はソースが変更された画像を、適宜、表示面３１１に表示することができる。
【０１１２】
なお、本実施形態では、ディスプレイ３１０は、モータ３４０によって駆動されるように構成されているが、これに限らず、利用者によって駆動されるように構成されてもよい。この場合に、利用者によって把持される把持具がディスプレイ３１０に設けられてもよい。
【０１１３】
また、本実施形態では、ディスプレイ３１０は、表示面３１１に画像を表示するように構成されているが、これに限らず、表示面３１１にタッチパネル、デジタイザなどの入力器を搭載するように構成されてもよい。
【０１１４】
また、本実施形態では、一つのディスプレイ３１０が移動可能に設けられているが、これに限らず、複数のディスプレイ３１０が移動可能に設けられてもよい。
【０１１５】
また、本実施形態では、人体センサ３５０は、赤外線センサなどの検出器によって構成されているが、これに限らず、圧力センサなどの検出器によって構成されてもよい。この場合に、人体センサ３５０を椅子、床面などの部材に配置することにより、部材に接触する人体を検出することが可能になる。
【０１１６】
（第４実施形態）
次に、第４実施形態における画像表示装置の構成について、図９及び図１０を用いて説明する。なお、図９（ａ）は、第４実施形態における画像表示装置を示す側面図であり、図９（ｂ）は、第４実施形態における画像表示装置を示す正面図であり、図１０は、第４実施形態における画像表示装置を示すブロック図である。
【０１１７】
画像表示装置４００は、図９に示すように、表示部材の一例としてのディスプレイ４１０と、ディスプレイ４１０を移動可能に支持する支持部材４２０とを備えている。
【０１１８】
支持部材４２０は、互いに同軸に配置された一対の回転軸４２１を備え、回転軸４２１の一端は、ディスプレイ４１０に接続されるとともに、回転軸４２１の他端は、後述するモータ４４０に接続されるようになっている。
【０１１９】
ディスプレイ４１０は、所定情報を提示するための画像を表示する表示面４１１を有し、表示面４１１が壁面４０１（一の平面）に沿って画像を表示する第１の位置と表示面４１１が壁面４０２（他の平面）に沿って画像を表示する第２の位置とに移動（回転）するように設けられている。なお、壁面４０１、４０２は、建物の一部に設けられ、所定の空間４０３、４０４を形成している。
【０１２０】
具体的には、ディスプレイ４１０は、第１の位置において空間４０３に対向する壁掛けタイプの表示器に変体するとともに、第２の位置において空間４０４に対向する壁掛けタイプの表示器に変体するようになっている。
【０１２１】
なお、本実施形態では、ディスプレイ４１０は、液晶ディスプレイ、ＰＤＰ（Plasma Display Panel）、有機ＥＬ（Electroluminescence）ディスプレイ、ＣＲＴ（Cathode Ray Tube）ディスプレイなどの各種表示器によって構成することができる。
【０１２２】
また、画像表示装置４００は、図１０に示すように、駆動手段の一例としてのモータ４４０と、人体検出手段の一例としての人体センサ４５０と、信号検出手段の一例としての信号検出部４６０と、位置検出手段の一例としての位置センサ４７０と、変更手段の一例としての制御部４８０とを備えている。
【０１２３】
制御部４８０は、所定情報を提示するための画像を生成し、当該生成された画像を示す画像信号をディスプレイ４１０に出力するようになっている。そして、ディスプレイ４１０は、入力された画像信号に応じて表示面４１１に画像を表示するようになっている。
【０１２４】
モータ４４０は、回転軸４２１に直接接続され、ディスプレイ４１０を一の方向及び他の方向に駆動（回転）するようになっている。即ち、ディスプレイ４１０は、鉛直方向に回転可能に設けられた壁を形成している。
【０１２５】
なお、本実施形態では、モータ４４０は、回転軸４２１に直接接続されているが、これに限らず、スプロケット、チェーン、シャフトなどを含む図示しない伝達機構を介して回転軸４２１に接続されてもよい。
【０１２６】
人体センサ４５０は、赤外線センサなどの検出器によって構成され、ディスプレイ４１０に近接する人体を検出するようになっている。そして、制御部４８０は、検出された人体に応じてモータ４４０に駆動信号を出力し、モータ４４０は、入力された駆動信号に応じてディスプレイ４１０を駆動するようになっている。
【０１２７】
具体的には、ディスプレイ４１０は、検出された人体、即ち、利用者に追従することにより、利用者が視認しやすい位置に移動するようになっている。
【０１２８】
なお、本実施形態では、人体センサ４５０は、ディスプレイ４１０の前面に設けられてもよく、壁面４０１、４０２に設けられてもよい。
【０１２９】
信号検出部４６０は、赤外線センサなどの検出器によって構成され、ディスプレイ４１０を移動するための信号を検出するようになっている。そして、制御部４８０は、検出された信号に応じてモータ４４０に駆動信号を出力し、モータ４４０は、入力された駆動信号に応じてディスプレイ４１０を駆動するようになっている。
【０１３０】
具体的には、ディスプレイ４１０は、遠隔操作用のリモートコントローラ４９０から出力された操作信号に応じて、利用者が視認しやすい位置に移動するようになっている。
【０１３１】
なお、本実施形態では、信号検出部４６０は、ディスプレイ４１０の前面に設けられてもよく、壁面４０１、４０２に設けられてもよい。
【０１３２】
位置センサ４７０は、エンコーダなどの検出器によって構成され、モータ４４０の回転角を検出することによりディスプレイ４１０の位置を検出するようになっている。そして、制御部４８０は、検出された位置に基づいて画像を生成し、当該生成された画像を示す画像信号をディスプレイ４１０に出力するようになっている。
【０１３３】
具体的には、ディスプレイ４１０は、入力された画像信号に応じて、明度、彩度、輝度などの画質又はソースが変更された画像を、適宜、表示面４１１に表示するようになっている。即ち、制御部４８０は、検出された位置に基づいて表示面４１１に表示する画像を変更するようになっている。
【０１３４】
以上説明したように、本実施形態では、画像表示装置４００は、画像を表示する表示面４１１を有するディスプレイ４１０と、ディスプレイ４１０を移動可能に支持する支持部材４２０とを備え、ディスプレイ４１０は、表示面４１１が壁面４０１に沿って画像を表示する第１の位置と表示面４１１が壁面４０２に沿って画像を表示する第２の位置とに移動するように設けられたことを特徴とする構成を有している。
【０１３５】
この構成により、本実施形態では、ディスプレイ４１０が第１の位置及び第２の位置に移動するので、ディスプレイ４１０の軌道を所定方向に設定することができ、操作性を向上させることができる。
【０１３６】
また、本実施形態では、画像表示装置４００は、支持されたディスプレイ４１０を一の方向及び他の方向に駆動するモータ４４０を更に備えることを特徴とする構成を有している。
【０１３７】
この構成により、本実施形態では、モータ４４０がディスプレイ４１０を駆動するので、ディスプレイ４１０を容易に移動することができる。
【０１３８】
また、本実施形態では、画像表示装置４００は、支持されたディスプレイ４１０に近接する人体を検出する人体センサ４５０を更に備え、モータ４４０は、検出された人体に応じて支持されたディスプレイ４１０を駆動することを特徴とする構成を有している。
【０１３９】
この構成により、本実施形態では、検出された人体に応じてディスプレイ４１０を駆動するので、検出された人体、即ち、利用者に追従することができ、利用者が視認しやすい位置にディスプレイ４１０を移動することができる。
【０１４０】
また、本実施形態では、画像表示装置４００は、支持されたディスプレイ４１０を移動させるための信号を検出する信号検出部４６０を更に備え、モータ４４０は、検出された信号に応じて支持されたディスプレイ４１０を駆動することを特徴とする構成を有している。
【０１４１】
この構成により、本実施形態では、遠隔操作用のリモートコントローラ４９０から出力された操作信号に応じてディスプレイ４１０を駆動するので、利用者が視認しやすい位置にディスプレイ４１０を移動することができる。
【０１４２】
また、本実施形態では、画像表示装置４００は、支持されたディスプレイ４１０の位置を検出する位置センサ４７０と、検出された位置に基づいて表示面４１１に表示する画像を変更する制御部４８０とを更に備えることを特徴とする構成を有している。
【０１４３】
この構成により、本実施形態では、ディスプレイ４１０の位置に基づいて画像を変更するので、明度、彩度、輝度などの画質又はソースが変更された画像を、適宜、表示面４１１に表示することができる。
【０１４４】
なお、本実施形態では、ディスプレイ４１０は、モータ４４０によって駆動されるように構成されているが、これに限らず、利用者によって駆動されるように構成されてもよい。この場合に、利用者によって把持される把持具がディスプレイ４１０に設けられてもよい。
【０１４５】
また、本実施形態では、ディスプレイ４１０は、表示面４１１に画像を表示するように構成されているが、これに限らず、表示面４１１にタッチパネル、デジタイザなどの入力器を搭載するように構成されてもよい。
【０１４６】
また、本実施形態では、一つのディスプレイ４１０が移動可能に設けられているが、これに限らず、複数のディスプレイ４１０が移動可能に設けられてもよい。
【０１４７】
また、本実施形態では、人体センサ４５０は、赤外線センサなどの検出器によって構成されているが、これに限らず、圧力センサなどの検出器によって構成されてもよい。この場合に、人体センサ４５０を椅子、床面などの部材に配置することにより、部材に接触する人体を検出することが可能になる。
【０１４８】
（第５実施形態）
次に、第５実施形態における画像表示装置の構成について、図１１及び図１２を用いて説明する。なお、図１１（ａ）は、第５実施形態における画像表示装置を示す側面図であり、図１１（ｂ）は、第５実施形態における画像表示装置を示す正面図であり、図１２は、第５実施形態における画像表示装置を示すブロック図である。
【０１４９】
画像表示装置５００は、図１１に示すように、表示部材の一例としてのディスプレイ５１０と、ディスプレイ５１０を移動可能に支持する支持部材５２０とを備えている。
【０１５０】
支持部材５２０は、互いに同軸に配置された一対の回転軸５２１と、ディスプレイ５１０を保持するフレーム５２２とを備え、回転軸５２１の一端は、フレーム５２２に接続されるとともに、回転軸５２１の他端は、後述するモータ５４０に接続されるようになっている。
【０１５１】
ディスプレイ５１０は、所定情報を提示するための画像を表示する表示面５１１を有し、表示面５１１が壁面５０１（一の平面）に沿って画像を表示する第１の位置と表示面５１１が壁面５０２（他の平面）に沿って画像を表示する第２の位置とに移動（回転）するように設けられている。なお、壁面５０１、５０２は、建物の一部に設けられ、所定の空間５０３、５０４を形成している。
【０１５２】
具体的には、ディスプレイ５１０は、第１の位置において空間５０３に対向する壁掛けタイプの表示器に変体するとともに、第２の位置において空間５０４に対向する壁掛けタイプの表示器に変体するようになっている。
【０１５３】
なお、本実施形態では、ディスプレイ５１０は、液晶ディスプレイ、ＰＤＰ（Plasma Display Panel）、有機ＥＬ（Electroluminescence）ディスプレイ、ＣＲＴ（Cathode Ray Tube）ディスプレイなどの各種表示器によって構成することができる。
【０１５４】
また、画像表示装置５００は、図１２に示すように、駆動手段の一例としてのモータ５４０と、人体検出手段の一例としての人体センサ５５０と、信号検出手段の一例としての信号検出部５６０と、位置検出手段の一例としての位置センサ５７０と、変更手段の一例としての制御部５８０とを備えている。
【０１５５】
制御部５８０は、所定情報を提示するための画像を生成し、当該生成された画像を示す画像信号をディスプレイ５１０に出力するようになっている。そして、ディスプレイ５１０は、入力された画像信号に応じて表示面５１１に画像を表示するようになっている。
【０１５６】
モータ５４０は、回転軸５２１に直接接続され、ディスプレイ５１０を一の方向及び他の方向に駆動（回転）するようになっている。即ち、ディスプレイ５１０は、水平方向に回転可能に設けられた壁を形成している。
【０１５７】
なお、本実施形態では、モータ５４０は、回転軸５２１に直接接続されているが、これに限らず、スプロケット、チェーン、シャフトなどを含む図示しない伝達機構を介して回転軸５２１に接続されてもよい。また、ディスプレイ５１０及び支持部材５２０は、例えば、ローラを有する４本の脚部材によって移動可能に支持されてもよい。
【０１５８】
人体センサ５５０は、赤外線センサなどの検出器によって構成され、ディスプレイ５１０に近接する人体を検出するようになっている。そして、制御部５８０は、検出された人体に応じてモータ５４０に駆動信号を出力し、モータ５４０は、入力された駆動信号に応じてディスプレイ５１０を駆動するようになっている。
【０１５９】
具体的には、ディスプレイ５１０は、検出された人体、即ち、利用者に追従することにより、利用者が視認しやすい位置に移動するようになっている。
【０１６０】
なお、本実施形態では、人体センサ５５０は、ディスプレイ５１０の前面に設けられてもよく、壁面５０１、５０２に設けられてもよい。
【０１６１】
信号検出部５６０は、赤外線センサなどの検出器によって構成され、ディスプレイ５１０を移動するための信号を検出するようになっている。そして、制御部５８０は、検出された信号に応じてモータ５４０に駆動信号を出力し、モータ５４０は、入力された駆動信号に応じてディスプレイ５１０を駆動するようになっている。
【０１６２】
具体的には、ディスプレイ５１０は、遠隔操作用のリモートコントローラ５９０から出力された操作信号に応じて、利用者が視認しやすい位置に移動するようになっている。
【０１６３】
なお、本実施形態では、信号検出部５６０は、ディスプレイ５１０の前面に設けられてもよく、壁面５０１、５０２に設けられてもよい。
【０１６４】
位置センサ５７０は、エンコーダなどの検出器によって構成され、モータ５４０の回転角を検出することによりディスプレイ５１０の位置を検出するようになっている。そして、制御部５８０は、検出された位置に基づいて画像を生成し、当該生成された画像を示す画像信号をディスプレイ５１０に出力するようになっている。
【０１６５】
具体的には、ディスプレイ５１０は、入力された画像信号に応じて、明度、彩度、輝度などの画質又はソースが変更された画像を、適宜、表示面５１１に表示するようになっている。即ち、制御部５８０は、検出された位置に基づいて表示面５１１に表示する画像を変更するようになっている。
【０１６６】
以上説明したように、本実施形態では、画像表示装置５００は、画像を表示する表示面５１１を有するディスプレイ５１０と、ディスプレイ５１０を移動可能に支持する支持部材５２０とを備え、ディスプレイ５１０は、表示面５１１が壁面５０１に沿って画像を表示する第１の位置と表示面５１１が壁面５０２に沿って画像を表示する第２の位置とに移動するように設けられたことを特徴とする構成を有している。
【０１６７】
この構成により、本実施形態では、ディスプレイ５１０が第１の位置及び第２の位置に移動するので、ディスプレイ５１０の軌道を所定方向に設定することができ、操作性を向上させることができる。
【０１６８】
また、本実施形態では、画像表示装置５００は、支持されたディスプレイ５１０を一の方向及び他の方向に駆動するモータ５４０を更に備えることを特徴とする構成を有している。
【０１６９】
この構成により、本実施形態では、モータ５４０がディスプレイ５１０を駆動するので、ディスプレイ５１０を容易に移動することができる。
【０１７０】
また、本実施形態では、画像表示装置５００は、支持されたディスプレイ５１０に近接する人体を検出する人体センサ５５０を更に備え、モータ５４０は、検出された人体に応じて支持されたディスプレイ５１０を駆動することを特徴とする構成を有している。
【０１７１】
この構成により、本実施形態では、検出された人体に応じてディスプレイ５１０を駆動するので、検出された人体、即ち、利用者に追従することができ、利用者が視認しやすい位置にディスプレイ５１０を移動することができる。
【０１７２】
また、本実施形態では、画像表示装置５００は、支持されたディスプレイ５１０を移動させるための信号を検出する信号検出部５６０を更に備え、モータ５４０は、検出された信号に応じて支持されたディスプレイ５１０を駆動することを特徴とする構成を有している。
【０１７３】
この構成により、本実施形態では、遠隔操作用のリモートコントローラ５９０から出力された操作信号に応じてディスプレイ５１０を駆動するので、利用者が視認しやすい位置にディスプレイ５１０を移動することができる。
【０１７４】
また、本実施形態では、画像表示装置５００は、支持されたディスプレイ５１０の位置を検出する位置センサ５７０と、検出された位置に基づいて表示面５１１に表示する画像を変更する制御部５８０とを更に備えることを特徴とする構成を有している。
【０１７５】
この構成により、本実施形態では、ディスプレイ５１０の位置に基づいて画像を変更するので、明度、彩度、輝度などの画質又はソースが変更された画像を、適宜、表示面５１１に表示することができる。
【０１７６】
なお、本実施形態では、ディスプレイ５１０は、モータ５４０によって駆動されるように構成されているが、これに限らず、利用者によって駆動されるように構成されてもよい。この場合に、利用者によって把持される把持具がディスプレイ５１０に設けられてもよい。
【０１７７】
また、本実施形態では、ディスプレイ５１０は、表示面５１１に画像を表示するように構成されているが、これに限らず、表示面５１１にタッチパネル、デジタイザなどの入力器を搭載するように構成されてもよい。
【０１７８】
また、本実施形態では、一つのディスプレイ５１０が移動可能に設けられているが、これに限らず、複数のディスプレイ５１０が移動可能に設けられてもよい。
【０１７９】
また、本実施形態では、人体センサ５５０は、赤外線センサなどの検出器によって構成されているが、これに限らず、圧力センサなどの検出器によって構成されてもよい。この場合に、人体センサ５５０を椅子、床面などの部材に配置することにより、部材に接触する人体を検出することが可能になる。
【０１８０】
また、各実施形態における画像表示装置は、適宜組み合わせされて構成されてもよい。
【図面の簡単な説明】
【０１８１】
【図１】本願の一実施形態における画像表示装置を示す斜視図である。
【図２】（ａ）は、図１に示した画像表示装置の要部を示す側面図であり、（ｂ）は、図１に示した画像表示装置の要部を示す断面図である。
【図３】本願の一実施形態における画像表示装置を示すブロック図である。
【図４】本願の一実施形態における画像表示装置を示す斜視図である。
【図５】（ａ）は、図４に示した画像表示装置の要部を示す側面図であり、（ｂ）は、図４に示した画像表示装置の要部を示す断面図である。
【図６】本願の一実施形態における画像表示装置を示すブロック図である。
【図７】（ａ）は、本願の一実施形態における画像表示装置を示す側面図であり、（ｂ）は、本願の一実施形態における画像表示装置を示す正面図である。
【図８】本願の一実施形態における画像表示装置を示すブロック図である。
【図９】（ａ）は、本願の一実施形態における画像表示装置を示す側面図であり、（ｂ）は、本願の一実施形態における画像表示装置を示す正面図である。
【図１０】本願の一実施形態における画像表示装置を示すブロック図である。
【図１１】（ａ）は、本願の一実施形態における画像表示装置を示す側面図であり、（ｂ）は、本願の一実施形態における画像表示装置を示す正面図である。
【図１２】本願の一実施形態における画像表示装置を示すブロック図である。
【符号の説明】
【０１８２】
１００  画像表示装置
１０１  側壁
１０２  天井
１０３  空間
１１０  ディスプレイ
１１１  表示面
１２０  支持部材
１２１  レール
１２２  係合具
１２３  ウォーム
１２４  直部
１２５  直部
１２６  曲部
１２７  ラック
１２８  案内溝
１３１  基部
１３２  側部
１３３  端部
１４０  モータ
１５０  人体センサ
１６０  信号検出部
１７０  位置センサ
１８０  制御部
１９０  リモコン
【図１】
2006072177.tif 000003
【図２】
2006072177.tif 000004
【図３】
2006072177.tif 000005
【図４】
2006072177.tif 000006
【図５】
2006072177.tif 000007
【図６】
2006072177.tif 000008
【図７】
2006072177.tif 000009
【図８】
2006072177.tif 000010
【図９】
2006072177.tif 000011
【図１０】
2006072177.tif 000012
【図１１】
2006072177.tif 000013
【図１２】
2006072177.tif 000014